(57)【要約】 【課題】  視力の低下から針穴が良く見えず糸が通しづらいとか、外出先などで小さな文字が読めずに不自由を感じ、困っている人のために糸通し機能付き携帯可能な拡大レンズを提供する。【解決手段】  持ち手と拡大レンズと針山を備えたプレートとを連結部を用い結合した構造の裁縫補助用具で、拡大レンズと針穴との焦点合わせの為に針の刺し位置方向を示した機能を備えており、針を指で摘むことをしなくても拡大した針穴に糸を簡単に通すことができ、また針山を備えたプレートを収納した状態では、外出先での細かい文字も大きく見ることが出来る糸通し機能付き携帯可能な拡大レンズである。  【選択図】  図１
2012105946.tif 000002
【特許請求の範囲】
【請求項１】
持ち手を備えた拡大レンズと、針山を備えるプレートと、これらを開閉可能な連結部で結合を可能としたことを特徴とする糸通し機能付き携帯可能な拡大レンズ。
【請求項２】
持ち手と拡大レンズと針山を備えるプレートとの重ね合わせを可能としたことを特徴とする糸通し機能付き携帯可能な拡大レンズ。
【請求項３】
プレート面の針山は、針を挿す誘導線又は、前後に移動を可能とするための溝を設けたことを特徴とする請求項１又は請求項２に記載の糸通し機能付き携帯可能な拡大レンズ。
【発明の詳細な説明】
【技術分野】
【０００１】
本発明は、視力の低下で針穴の糸通しで困った経験をされた方や、外出先などで小さな文字がはっきり見えなくて、不自由を感じる人のための糸通し機能付き携帯可能な拡大レンズに関するものである。
【背景技術】
【０００２】
日々の生活において、ボタン付けや解れを縫う行為は家事の仕事の一つである。しかし視力の衰えから針穴が見えにくくなり、仕事の効率が下がり支障をきたし悩んでいるひとも少なくない。若い頃手芸などを楽しんだ人も視力の低下から好きな針仕事を諦めてしまう人も多い。
【０００３】
通常の針仕事の針穴に糸を通す作業は自分の視力だけで行える。しかし視力の低下からメガネや補助器具の援助で針穴に糸を通すようになる。針穴を大きく見る補助具の一つに特許文献１がある。しかし前記文献１の拡大鏡付き糸通し器は、ミシン針が固定された状態のみ使用が可能であると言うことと、拡大鏡もミシンと固定された状態で使用するので、焦点距離の調整が不可能である。またミシンと一体として使用する構造のため持ち運びに適さない（特許文献１参照）。
したがってこの種の拡大レンズを用いた糸を通す用具は、焦点距離が容易に決めることが出来ない。また何処でも使える糸通しとしては使い勝手が悪い。何処でも針穴が大きく見え、楽に糸通しができる補助具が少なく、視力を気にせず針穴を大きく見ることができ糸が簡単に通せる針山を備えた、持ち運びに適した糸通し機能付き携帯可能な拡大レンズ
の提供が望まれる。
【先行技術文献】
【特許文献】
【０００４】
【特許文献１】実用新案登録  第３１３６９８６  号公報。
【発明の概要】
【発明が解決しようとする課題】
【０００５】
そこで本発明は、使う人の視力に合った焦点を自分で簡単に合わせることが出来、針穴に糸を通すことに重きをおき、更に持ち運びに適したサイズにすることで、外出先でも文字を大きく見ることができる糸通し機能付き携帯可能な拡大レンズの提供を目的とする。
【課題を解決するための手段】
【０００６】
本発明にかかる一つの態様は、持ち手を備えた拡大レンズと、針山を備えるプレートと、これらを開閉可能な連結部で結合を可能としたことを特徴とする糸通し機能付き携帯可能な拡大レンズである。    
【０００７】
本発明にかかる他の態様は、持ち手と拡大レンズと針山を備えるプレートとの重ね合わせを可能としたことを特徴とする糸通し機能付き携帯可能な拡大レンズである。        
【０００８】
本発明にかかる他の態様は、プレート面の針山は、針を挿す誘導線又は、前後に移動を可能とするための溝を設けたことを特徴とする請求項１又は請求項２に記載の糸通し機能付き携帯可能な拡大レンズである。        
【発明の効果】
【０００９】
本発明は持ち手を備えた拡大レンズと針山を備えるプレートとを開閉可能な連結部で結合し、結合をすることで拡大レンズとプレート間に於いて略一定の距離が保たれ、手で持つことで拡大レンズとプレート間の角度を略９０度に調整をし、保つことを可能としたことを特徴とする糸通し機能付き携帯可能な拡大レンズである。
【００１０】
視力の低下からくる針穴の見えにくさと細い針を指でつまみながらの糸通しの煩わしさに、心のイライラを覚えることは多々ある。
細い針をつままず、針穴が大きく見えて、しかも自分の手の中で容易に針穴に糸が通せることで、日々の針仕事が効率よく出来る様になり、糸通しの困難から開放され楽しく針仕事に望める。
シンプルなデザインで使いやすくコンパクトになるので収納にも場所をとらず、外出先での買い物時の商品表示や、バス停等の小さな文字も大きく見えることが本発明の最大の効果である。            
【００１１】
日常の針仕事に於いて、視力の低下から針穴がしっかりと見えずに困っている人を補助するのに必要な機能が備わっており、針山には和裁針、洋裁針、手芸針と、針の種類は特定せず使用を可能とした。日常生活に於いて外出先など小さな文字が見えない時など不自由に思う人のためにも、上記の課題を解決し、快適な生活の向上を目的とし提供する。
【図面の簡単な説明】
【００１２】
【図１】実施例１の溝なし糸通し機能付き携帯可能な拡大レンズの斜視図
【図２】実施例１の溝なし糸通し機能付き携帯可能な拡大レンズの収納図
【図３】実施例１の溝あり糸通し機能付き携帯可能な拡大レンズの斜視図
【図４】実施例１の溝あり糸通し機能付き携帯可能な拡大レンズの収納図
【図５】実施例２の溝なし孔使用の糸通し機能付き携帯可能な拡大レンズの斜視図
【図６】実施例２の溝なし孔使用の糸通し機能付き携帯可能な拡大レンズの分解図
【図７】実施例２の溝あり孔使用の糸通し機能付き携帯可能な拡大レンズの斜視図
【図８】実施例２の溝あり孔使用の糸通し機能付き携帯可能な拡大レンズの分解図
【図９】実施例２の孔使用の糸通し機能付き携帯可能な拡大レンズの収納図
【発明を実施するための形態】
【００１３】
本発明の糸通し機能付き携帯可能な拡大レンズを具体化した実施の形態について以下図面を用いて説明する。
【実施例１】
【００１４】
図１、図２、図３、図４、に基づいて実施例１を説明する。
持ち手を備えた拡大レンズ１２０と持ち手１４０と針山を備えるプレート１５０とを開閉可能な連結部を備えて結合した構造である。
略楕円形のレンズ１２０を中央に備え外周を枠１３０で囲い、その拡大レンズ１２０を支える働きと、連結部を用いて重ね合わせることを可能とする持ち手１４０から成る。
【００１５】
図１の針山を備えるプレート１５０は、針山７００を上部に設け、略楕円形で外周を囲った構造である。前記針山を備えるプレート１５０の表面は、針７６０を挿すための補助的な役割として誘導線８００を明記した針山７００を備え、針７６０を誘導線に沿って挿すことで拡大レンズ１２０から見て拡大された針穴を見ることが可能である。
針山を備えるプレート１５０に針７６０を挿すことで、細い針を直接持ち続けることをせずに、小さな針穴に糸７７０を通す作業が楽にでき、目の疲れも軽減されるので良い効果があり針仕事も非常に楽にできる。
【００１６】
図３の針山を備えるプレート１５０は、案内部としての溝８５０をプレート面に設け、その溝８５０に沿って針山７１０の移動を可能とし、拡大レンズ１２０から見たときの針７６０が焦点の合った状態で拡大して見ることができる。
案内部としての溝８５０は、備えた針山７１０を人の指先で前後自在に移動を可能とした構造であり、針７６０を挿し替えることなく針穴を拡大して見ることが容易にできる構造である。また針山７１０は、使用時は容易に取り外しができないが、交換のための取り外しは可能である。
【００１７】
図２と図４は糸通し機能付き携帯可能な拡大レンズ１００を閉じた図である。
拡大レンズ１２０と持ち手１４０と針山を備えるプレート１５０とを連結部を用い、開閉可能又は回転可能に結合することを可能とした構造である。
開閉可能又は回転可能に連結する連結部を用いて結合し、重ね合わせることを可能にした状態を示した図である。
【００１８】
図１と図３に示す持ち手１４０は拡大レンズ１２０と同様の形状とし、重ねてもコンパクトに収まる構造である。また小物を入れる小さなスペースを確保することや、ミラーを備え付けることも可能とした構造である。
針山を備えるプレート１５０を持ち手１４０と重ね、拡大レンズ１２０と持ち手１４０を使用することで、買い物先での商品表示の細かな字や、バス停での時刻表の文字も大きくみることが可能で非常に便利である。
【００１９】
図２と図４は、拡大レンズ１２０と持ち手１４０との間に開閉可能又は回転可能な連結部を備え、また拡大レンズ１２０と針山を備えるプレート１５０との連結部の結合の双方の連結部を用いて重ねることで、パーツを閉じることが出来、コンパクトになり携帯もでき便利である。
【００２０】
図１と図３は拡大レンズ１２０と針山を備えるプレート１５０との間の連結部と、拡大レンズ１２０と持ち手１４０との間の連結部を表した説明図である。
拡大レンズ１２０と針山を備えるプレート１５０との間に於いて、連結軸４００と対をなす連結軸ホルダー４１０を拡大レンズ１２０と針山を備えるプレート１５０との間の隣接する位置の近傍に備え結合をし、開閉を可能とした構造である。
又拡大レンズ１２０と持ち手１４０との間に於いて連結軸４００と対をなす連結軸ホルダー４１０を、拡大レンズ１２０と持ち手１４０との間の隣接する近傍に備え結合をし、開閉又は回転を可能とした構造である。
【００２１】
糸通し機能付き携帯可能な拡大レンズ１００は、拡大レンズ１２０と持ち手１４０と針山を備えるプレート１５０とを連結部を備えて一体化した形の構造であり、拡大レンズ１２０から見たときの針７６０が焦点の合った状態で拡大して見ることができ、拡大レンズ１２０と針山を備えたプレート１５０との間に略一定の距離を保つことが可能で、持ち手１４０を持つ人の手がストッパーの代わりになり、拡大レンズ１２０とプレート１５０との間の角度を略９０度に調整し保つことができ、針山を備えるプレート１５０の開きすぎを抑える。
【００２２】
開閉可能に連結をされる連結部は連結軸４００と、その連結軸４００を受ける連結軸ホルダー４１０が対となり機能をし、連結軸４００の外周と、連結軸ホルダー４１０の内径の関係は連結軸４００の外形より、連結軸ホルダー４１０の内径が大きいことである。連結軸ホルダー４１０と連結軸４００は、各々のパーツを連結し結合を可能とする機能を有し、拡大レンズ１２０と針山を備えるプレート１５０とを、拡大レンズ１２０と持ち手１４０とを繋ぐ働きをする構造である。
【実施例２】
【００２３】
図５、図６、図７、図８、図９に基づいて実施例２を説明する。
図５と図７はカバー兼持ち手２４０と２４１の双方で拡大レンズ１２１とプレート２５０を挟むことで、一体化した構造から成る糸通し機能付き携帯可能な拡大レンズ１００である。
同じ形状の四つのパーツの共通部位に孔９５０を開け、スペーサ９１０はパーツとの間に交互に設けた状態で、回転軸９００を貫通させ回転軸止め９３０を用いる構造である。各パーツは３６０度自在に回転と停止を可能とする。
【００２４】
プレート２５０は針山を備える大プレート２５０ａと小プレート２５０ｂ間に於いて、開閉可能に連結される連結部を備えた構造である。
開閉可能に連結される連結部を、針山を備える大プレート２５０ａと小プレート２５０ｂとの隣接位置に有し、針山を備える大プレート２５０ａ側に連結軸５００と小プレート２５０ｂ側に連結軸ホルダー５１０を用いた構造である。
連結部を備え結合をすることで、針山を備える大プレート２５０ａの開閉が可能となり、拡大レンズ１２１との間に略一定の距離と、略９０度の角度を保つことができる。
【００２５】
該連結部は連結軸５００とその連結軸５００を受ける連結軸ホルダー５１０が一対となり機能をし、連結軸５００の外径と、連結軸ホルダー５１０の内径の関係は、連結軸ホルダー５１０の内径が大きいことである。
連結軸ホルダー５１０の内側で連結軸５００が回転をし、針山を備える大プレート２５０ａの開閉が可能となる。
更にカバー兼持ち手２４１の上部に針山を備える大プレート２５０ａを乗せ置くことで針山を備える大プレート２５０ａの開き過ぎを抑え、拡大レンズ１２１と針山を備えた大プレート２５０ａとの角度を略９０度に保つことができる。
【００２６】
図５の針山を備える大プレート２５０ａの針山７００の構造は、実施例１の図１の針山を備えるプレート１５０の機能と同様である。よって針山を備える大プレート２５０ａの針山７００の詳細な説明は省略する。
図７の針山を備える大プレート２５０ａの針山７１０の構造は、実施例１の図３の針山を備えるプレート１５０の機能と同様である。よって針山を備える大プレート２５０ａの針山７１０の詳細な説明は省略する。
カバー兼持ち手２４０と２４１を揃えた状態にして片手で持ち、もう片方の手で針７６０の操作をし、ルーペ２１０から見た針７６０の穴を拡大してみることができる。
【００２７】
図６と図８のカバー兼持ち手２４０と２４１は、小物を入れる小さなスペースを確保することや、ミラーを備え付けることも可能とした構造である。
プレート２５０をカバー兼持ち手２４０と２４１と揃えた状態で、拡大レンズ１２１とカバー兼持ち手２４０と２４１を使用することで、買い物先の商品表示の細かな字や、バス停での時刻表の文字も大きくみることが可能で非常に便利である。
【００２８】
図６は図５を分解した斜視図であり針山を備えるプレート２５０ａに針山７００を有したことを特徴としており、図８は図７を分解した斜視図であり針山を備える大プレート２５０ａには溝８５０を有したことを特徴とした構造である。
図９は回転軸９００を中心に各パーツを回し揃え、重ねた状態を示した図であり、コンパクトになりバックの中にも違和感無く納まるので、携帯としても利用できる。
【符号の説明】
【００２９】
１００    糸通し機能付き携帯可能な拡大レンズ
１２０    拡大レンズ
１２１    拡大レンズ
１３０    枠
１３１    枠
１４０    持ち手
２４０    カバー兼持ち手  
２４１    カバー兼持ち手
１５０    針山を備えるプレート
２５０    プレート
２５０ａ  針山を備える大プレート
２５０ｂ  小プレート
４００    連結軸
５００    連結軸
４１０    連結軸ホルダー
５１０    連結軸ホルダー  
７００    針山
７１０    針山
７６０    針
７７０    糸
８００    誘導線
８５０    溝
９００    回転軸
９１０    スペーサ
９３０    回転軸止め
９５０    孔
【図１】
2012105946.tif 000003
【図２】
2012105946.tif 000004
【図３】
2012105946.tif 000005
【図４】
2012105946.tif 000006
【図５】
2012105946.tif 000007
【図６】
2012105946.tif 000008
【図７】
2012105946.tif 000009
【図８】
2012105946.tif 000010
【図９】
2012105946.tif 000011
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
持ち手と拡大レンズと針山を備えたプレートとを連結部を用い結合した構造で、前記針山を備えたプレートは、前記拡大レンズから見た針穴の焦点を合わせる為に、刺す針の刺し位置の方向を示した構造であって、
前記針山を備えたプレートの針山は、前記針山を備えたプレートのプレートに固定されていて、該針山に刺す針穴と前記拡大レンズとの焦点を合わせる為に、刺す針の刺し位置方向を示す誘導線を用いた構造とし、
又は前記針山を備えたプレートは、前記針山の針と前記拡大レンズとの焦点を合わせる為に、針山に刺す針の位置方向を促す機能としての溝を用い、該溝内に備えた針山を前後に移動をすることを可能にした構造を特徴とした糸通し機能付き携帯可能な拡大レンズ。
【手続補正２】
【補正対象書類名】明細書
【補正対象項目名】全文
【補正方法】変更
【補正の内容】
【発明の詳細な説明】
【技術分野】
【０００１】
本発明は、視力の低下で針穴の糸通しで困った経験をされた方や、外出先などで小さな文字がはっきり見えなくて、不自由を感じる人のための糸通し機能付き携帯可能な拡大レンズに関するものである。
【背景技術】
【０００２】
日々の生活において、ボタン付けや解れを縫う行為は家事の仕事の一つである。しかし視力の衰えから針穴が見えにくくなり、仕事の効率が下がり支障をきたし悩んでいるひとも少なくない。若い頃手芸などを楽しんだ人も視力の低下から好きな針仕事を諦めてしまう人も多い。
【０００３】
通常の針仕事の針穴に糸を通す作業は自分の視力だけで行える。しかし視力の低下からメガネや補助器具の援助で針穴に糸を通すようになる。針穴を大きく見る補助具の一つに特許文献１がある。しかし前記文献１の拡大鏡付き糸通し器は、ミシン針が固定された状態のみ使用が可能であると言うことと、拡大鏡もミシンと固定された状態で使用するので、焦点距離の調整が不可能である。またミシンと一体として使用する構造のため持ち運びに適さない（特許文献１参照）。
したがってこの種の拡大レンズを用いた糸を通す用具は、焦点距離が容易に決めることが出来ない。また何処でも使える糸通しとしては使い勝手が悪い。何処でも針穴が大きく見え、楽に糸通しができる補助具が少なく、視力を気にせず針穴を大きく見ることができ糸が簡単に通せる針山を備えた、持ち運びに適した糸通し機能付き携帯可能な拡大レンズ
の提供が望まれる。
【先行技術文献】
【特許文献】
【０００４】
【特許文献１】実用新案登録  第３１３６９８６  号公報
【発明の概要】
【発明が解決しようとする課題】
【０００５】
そこで本発明は、使う人の視力に合った焦点を自分で簡単に合わせることが出来、針穴に糸を通すことに重きをおき、更に持ち運びに適したサイズにすることで、外出先でも文字を大きく見ることができる糸通し機能付き携帯可能な拡大レンズの提供を目的とする。
【課題を解決するための手段】
【０００６】
本発明にかかる一つの態様は、持ち手と拡大レンズと針山を備えたプレートとを連結部を用い結合した構造で、前記針山を備えたプレートは、前記拡大レンズから見た針穴の焦点を合わせる為に、刺す針の刺し位置の方向を示した構造であって、
前記針山を備えたプレートの針山は、前記針山を備えたプレートのプレートに固定されていて、該針山に刺す針穴と前記拡大レンズとの焦点を合わせる為に、刺す針の刺し位置方向を示す誘導線を用いた構造とし、
又は前記針山を備えたプレートは、前記針山の針と前記拡大レンズとの焦点を合わせる為に、針山に刺す針の位置方向を促す機能としての溝を用い、該溝内に備えた針山を前後に移動をすることを可能にした構造を特徴とした糸通し機能付き携帯可能な拡大レンズである。
【発明の効果】
【０００７】
本発明は持ち手と拡大レンズと針山を備えたプレートとを開閉可能な連結部で結合し、結合をすることで拡大レンズとプレート間に於いて略一定の距離が保たれ、手で持つことで拡大レンズとプレート間の角度を略９０度に調整をし、保つことを可能としたことを特徴とする糸通し機能付き携帯可能な拡大レンズである。
【０００８】
視力の低下からくる針穴の見えにくさと細い針を指でつまみながらの糸通しの煩わしさに、心のイライラを覚えることは多々ある。
細い針をつままず、針穴が大きく見えて、しかも自分の手の中で容易に針穴に糸が通せることで、日々の針仕事が効率よく出来る様になり、糸通しの困難から開放され楽しく針仕事に望める。
シンプルなデザインで使いやすくコンパクトになるので収納にも場所をとらず、外出先での買い物時の商品表示や、バス停等の小さな文字も大きく見えることが本発明の最大の効果である。            
【０００９】
日常の針仕事に於いて、視力の低下から針穴がしっかりと見えずに困っている人を補助するのに必要な機能が備わっており、針山には和裁針、洋裁針、手芸針と、針の種類は特定せず使用を可能とした。日常生活に於いて外出先など小さな文字が見えない時など不自由に思う人のためにも、上記の課題を解決し、快適な生活の向上を目的とし提供する。
【図面の簡単な説明】
【００１０】
【図１】実施例１の糸通し機能付き携帯可能な拡大レンズの斜視図
【図２】実施例１の糸通し機能付き携帯可能な拡大レンズの折り畳み図
【図３】実施例２の糸通し機能付き携帯可能な拡大レンズの斜視図
【図４】実施例２の糸通し機能付き携帯可能な拡大レンズの折り畳み図
【図５】実施例３の糸通し機能付き携帯可能な拡大レンズの斜視図
【図６】実施例３の糸通し機能付き携帯可能な拡大レンズの分解図
【図７】実施例４の糸通し機能付き携帯可能な拡大レンズの斜視図
【図８】実施例４の糸通し機能付き携帯可能な拡大レンズの分解図
【図９】実施例３の糸通し機能付き携帯可能な拡大レンズの折り畳み図
【発明を実施するための形態】
【００１１】
本発明の糸通し機能付き携帯可能な拡大レンズを具体化した実施の形態について以下図面を用いて説明する。
【実施例１】
【００１２】
図１、図２、に基づいて実施例１を説明する。
持ち手１４０と拡大レンズ１２０と針山を備えたプレート１５０とを開閉可能な連結部４００、４１０を用いて結合した構造である。
略楕円形のレンズ１２０を中央に備え外周を枠１３０で囲い、その拡大レンズ１２０を支える働きと、連結部４００，４１０を用いて重ね合わせることを可能とする持ち手１４０から成る。
【００１３】
図１の針山を備えたプレート１５０には、針山７００を上部に固定をした状態で設け、外周を略楕円形で囲った構造である。前記針山を備えたプレート１５０の表面は、針７６０を刺すための位置方向を示す機能として直線の誘導線８００を明記した針山７００を備え、針７６０を誘導線８００に沿って刺すことで拡大レンズ１２０から見て焦点が合い拡大された針穴を見ることが可能である。
針山を備えたプレート１５０の針山７００に針７６０を刺すことで、細い針を直接持ち続けることをせずに、小さな針穴に糸７７０を通す作業が楽にでき、目の疲れも軽減されるので良い効果があり針仕事も非常に楽にできる。
【００１４】
図２は糸通し機能付き携帯可能な拡大レンズ１００を示す折り畳み図である。
拡大レンズ１２０と持ち手１４０と針山を備えたプレート１５０とを連結部４００，４１０を用い、開閉可能に結合することを可能とした構造である。開閉可能に連結する連結部４００，４１０を用いて結合し、重ね合わせることを可能にした状態を示した図である。
【００１５】
図１に示す持ち手１４０は拡大レンズ１２０と同様の形状とし、重ねてもコンパクトに収まる構造である。また小物を入れる小さなスペースを確保することや、ミラーを備え付けることも可能とした構造である。
針山を備えたプレート１５０を持ち手１４０と重ね、拡大レンズ１２０と持ち手１４０を使用することで、買い物先での商品表示の細かな字や、バス停での時刻表の文字も大きくみることが可能で非常に便利である。
【００１６】
図１は拡大レンズ１２０と持ち手１４０と針山を備えたプレート１５０との間の連結部４００，４１０とを表した説明図である。
拡大レンズ１２０と持ち手１４０と針山を備えたプレート１５０との隣接する位置には、連結軸４００と対を成す連結軸ホルダー４１０を備え結合をし、開閉を可能とした構造である。
【００１７】
図２は、拡大レンズ１２０と持ち手１４０と針山を備えたプレート１５０との隣接する位置に開閉可能な連結部４００，４１０を備えているので糸通し機能付き携帯可能な拡大レンズ１００のパーツを閉じることが出来る折り畳み図である。
【００１８】
糸通し機能付き携帯可能な拡大レンズ１００は、拡大レンズ１２０と持ち手１４０と針山を備えたプレート１５０とを連結部４００、４１０を用いて一体化した形の構造であり、拡大レンズ１２０から見たときの針山７００に刺した針７６０が焦点の合った状態で拡大して見ることができ、拡大レンズ１２０と針山を備えたプレート１５０との間に略一定の距離を保つことが可能で、持ち手１４０を持つ人の手がストッパーの代わりになり、拡大レンズ１２０と針山を備えたプレート１５０との間の角度を略９０度に調整し保つことができ、針山を備えたプレート１５０の開きすぎを抑える。
【００１９】
開閉可能に連結をされる連結部４００，４１０は連結軸４００と、その連結軸４００を受ける連結軸ホルダー４１０が対となり機能をし、連結軸４００の外周と、連結軸ホルダー４１０の内径の関係は連結軸４００の外形より、連結軸ホルダー４１０の内径が大きいことである。連結軸ホルダー４１０と連結軸４００は、各々のパーツを連結し結合を可能とする機能を有し、拡大レンズ１２０と針山を備えたプレート１５０と持ち手１４０とをつなぐ働きをする構造である。
【実施例２】
【００２０】
図３、図４、に基づいて実施例２を説明する。
持ち手１４０と拡大レンズ１２０と針山を備えたプレート１５１とは、開閉可能な連結部４００，４１０を用いて結合した構造である。
持ち手１４０を手で持つことで、拡大レンズ１２０と針山を備えたプレート１５１を支えることができ、更に拡大レンズ１２０から見た時の針山７００に刺した針７６０との焦点合わせの作業がスムーズに行える。
【００２１】
図３の針山を備えたプレート１５１には、針山に刺す針の位置方向を促す為の溝８５０を設け、その溝８５０に沿って針山７１０の移動を可能とし、拡大レンズ１２０から見たときの針７６０が焦点の合った状態で拡大して見ることができる。
位置方向を促す為の溝８５０は、溝内に針山７１０を設け、針山７１０を人の指先で前後自在に移動を可能とした構造であり、針７６０を刺し直すことなく針穴を拡大して見ることが容易にできる構造である。また針山７１０は、使用時は容易に取り外しができないが、交換のための取り外しは可能である。
【００２２】
図４は糸通し機能付き携帯可能な拡大レンズ１００の折り畳み図である。
実施例２の他の機能は[実施例１]と共通なので詳細な説明は省略をする。
【実施例３】
【００２３】
図５、図６、図９に基づいて実施例３を説明する。
図５はカバー兼持ち手２４０と２４１の双方で拡大レンズ１２１とプレート２５０を挟むことで、一体化した構造から成る糸通し機能付き携帯可能な拡大レンズ１００である。同じ形状の四つのパーツの共通部位に孔９５０を開け、スペーサ９１０はパーツとの間に交互に設けた状態で、パーツとスペーサ９１０との間を貫通させた回転軸９００は、回転軸止め９３０との双方を用いて結合している構造である。各パーツは３６０度自在に回転と停止を可能とする。
【００２４】
プレート２５０は針山を備えた大プレート２５０ａと小プレート２５０ｂ間に於いて、開閉可能に連結される連結部５００，５１０を備えた構造である。開閉可能に連結される連結部５００，５１０を、針山を備えた大プレート２５０ａと小プレート２５０ｂとの隣接位置に用い、針山を備えた大プレート２５０ａ側に連結軸５００と小プレート２５０ｂ側に連結軸ホルダー５１０を用いた構造である。連結部５００，５１０を備え結合をすることで、針山を備えた大プレート２５０ａの開閉が可能となり、拡大レンズ１２１との間に略一定の距離と、略９０度の角度を保つことができる。
【００２５】
該連結部５００，５１０は連結軸５００とその連結軸５００を受ける連結軸ホルダー５１０が一対となり機能をし、連結軸５００の外径と、連結軸ホルダー５１０の内径の関係は、連結軸ホルダー５１０の内径が大きいことである。
連結軸ホルダー５１０の内側で連結軸５００が回転をし、針山を備えた大プレート２５０ａの開閉が可能となる。
更にカバー兼持ち手２４１の上部に針山を備えた大プレート２５０ａを乗せ置くことで針山を備えた大レート２５０ａの開き過ぎを抑え、拡大レンズ１２１と針山を備えた大プレート２５０ａとの角度を略９０度に保つことができる。
【００２６】
図５の針山を備えた大プレート２５０ａの針山７００の構造は、実施例１の図１の針山を備えたプレート１５０の機能と同様である。よって針山を備えた大プレート２５０ａの針山７００の詳細な説明は省略する。
カバー兼持ち手２４０と２４１を揃えた状態にして片手で持ち、もう片方の手で針７６０の操作をし、拡大レンズ１２１から見た針７６０の穴を拡大してみることができる。
【００２７】
図６のカバー兼持ち手２４０と２４１は、小物を入れる小さなスペースを確保することや、ミラーを備え付けることも可能とした構造である。
プレート２５０をカバー兼持ち手２４０と２４１と揃えた状態で、拡大レンズ１２１とカバー兼持ち手２４０と２４１を使用することで、買い物先の商品表示の細かな字や、バス停での時刻表の文字も大きくみることが可能で非常に便利である。
【００２８】
図６は図５を分解した分解図であり針山を備えた大プレート２５０ａに針山７００を上部に固定した状態の構造である。
図９は回転軸９００を中心に各パーツを回し揃え、重ねた状態を示した図であり、コンパクトになりバックの中にも違和感無く納まるので、携帯としても利用できる。
【実施例４】
【００２９】
図７、図８、に基づいて実施例４を説明する。
図７の針山を備えた大プレート２６０ａの針山７１０の構造は、実施例２の図３の針山を備えたプレート１５０の機能と同様である。よって針山を備えた大プレート２６０ａの詳細な説明は省略する。
また図７と図８のその他の機能は実施例３と共通するので詳細な説明は省略する。
【符号の説明】
【００３０】
１００    糸通し機能付き携帯可能な拡大レンズ
１２０    拡大レンズ
１２１    拡大レンズ
１３０    枠
１３１    枠
１４０    持ち手
２４０    カバー兼持ち手  
２４１    カバー兼持ち手
１５０    針山を備えたプレート
１５１    針山を備えたプレート
２５０    プレート
２６０    プレート
２５０ａ  針山を備えた大プレート
２６０ａ  針山を備えた大プレート
２５０ｂ  小プレート
２６０ｂ  小プレート
４００    連結軸
５００    連結軸
４１０    連結軸ホルダー
５１０    連結軸ホルダー  
７００    針山
７１０    針山
７６０    針
７７０    糸
８００    誘導線
８５０    溝
９００    回転軸
９１０    スペーサ
９３０    回転軸止め
９５０    孔
【手続補正４】
【補正対象書類名】図面
【補正対象項目名】図３
【補正方法】変更
【補正の内容】
【図３】
2012105946.tif 000012
【手続補正５】
【補正対象書類名】図面
【補正対象項目名】図４
【補正方法】変更
【補正の内容】
【図４】
2012105946.tif 000013
【手続補正６】
【補正対象書類名】図面
【補正対象項目名】図７
【補正方法】変更
【補正の内容】
【図７】
2012105946.tif 000014
【手続補正７】
【補正対象書類名】図面
【補正対象項目名】図８
【補正方法】変更
【補正の内容】
【図８】
2012105946.tif 000015
【手続補正８】
【補正対象書類名】図面
【補正対象項目名】図９
【補正方法】変更
【補正の内容】
【図９】
2012105946.tif 000016